(57)【要約】【課題】光ディスクの判別において、使用する光ディスクの地域による偏りを考慮して、判別時間の短縮を図ること。【解決手段】ＬＰＰ信号生成部５は、光ディスク１の反射光信号からＬＰＰ（Ｌａｎｄ  Ｐｒｅ−Ｐｉｔ）信号を生成し、ＡＤＩＰ信号生成部６は、反射光信号からＡＤＩＰ（Ａｄｒｅｓｓ  Ｉｎ  Ｐｒｅ−ｇｒｏｏｖｅ）信号を生成する。信号判定部７は、生成された複数種類の信号について信号の有無やレベルを判定し、マイコン８は、信号判定部７の判定結果をもとに光ディスクの種類を判別する。マイコン８は、ＥＥＰＲＯＭ９に格納されている光ディスク装置の地域情報を参照し、該地域情報に応じて信号判定部７に対し、複数種類の信号についてそれらを判定する順序を切り替えさせる。【選択図】図１
2010182357.tif 000002
【特許請求の範囲】
【請求項１】
装着された光ディスクにレーザ光を照射しデータを記録再生する光ディスク装置において、
上記光ディスクにレーザ光を照射しその反射光信号を検出する光ピックアップと、
該反射光信号からからＦＥ（フォーカスエラー）信号を生成するＦＥ信号生成部と、
該反射光信号からアドレス情報を示すＬＰＰ（Ｌａｎｄ  Ｐｒｅ−Ｐｉｔ）信号を生成するＬＰＰ信号生成部と、
該反射光信号からアドレス情報を示すＡＤＩＰ（Ａｄｒｅｓｓ  Ｉｎ  Ｐｒｅ−ｇｒｏｏｖｅ）信号を生成するＡＤＩＰ信号生成部と、
上記生成された複数種類の信号について信号の有無やレベルを判定する信号判定部と、
該信号判定部の判定結果をもとに上記光ディスクの種類を判別するマイコンと、
当該光ディスク装置の地域情報を格納しているＥＥＰＲＯＭとを備え、
上記マイコンは、上記ＥＥＰＲＯＭに格納されている地域情報を参照し、該地域情報に応じて上記信号判定部に対し、上記複数種類の信号についてそれらを判定する順序を切り替えさせることを特徴とする光ディスク装置。
【請求項２】
請求項１に記載の光ディスク装置において、
前記地域情報がＤＶＤ−Ｒ／ＲＷ（マイナス系）が主に使用される地域である場合は、ＬＰＰ信号の判定をＡＤＩＰ信号よりも先行させ、前記地域情報がＤＶＤ＋Ｒ／ＲＷ（プラス系）が主に使用される地域である場合は、ＡＤＩＰ信号の判定をＬＰＰ信号よりも先行させることを特徴とする光ディスク装置。
【請求項３】
装着された光ディスクにレーザ光を照射しその反射光から複数種類の信号を検出して上記光ディスクの種類を判別する光ディスクの判別方法であって、
光ディスク装置に設定された地域情報に応じて、上記複数種類の信号についてそれらを検出する順序を切り替えることを特徴とする光ディスクの判別方法。
【請求項４】
請求項３に記載の光ディスクの判別方法において、
検出する前記複数種類の信号には、アドレス情報を示すＬＰＰ（Ｌａｎｄ  Ｐｒｅ−Ｐｉｔ）信号とＡＤＩＰ（Ａｄｒｅｓｓ  Ｉｎ  Ｐｒｅ−ｇｒｏｏｖｅ）信号とが含まれ、
前記地域情報がＤＶＤ−Ｒ／ＲＷ（マイナス系）が主に使用される地域である場合は、ＬＰＰ信号の検出をＡＤＩＰ信号よりも先行させ、前記地域情報がＤＶＤ＋Ｒ／ＲＷ（プラス系）が主に使用される地域である場合は、ＡＤＩＰ信号の検出をＬＰＰ信号よりも先行させることを特徴とする光ディスクの判別方法。
【発明の詳細な説明】
【技術分野】
【０００１】
本発明は、装着された光ディスクの種類をより迅速に判別可能な光ディスク装置及び光ディスクの判別方法に関する。
【背景技術】
【０００２】
光ディスクには様々な種類があり、これらの種類に対応して、情報の記録、再生の条件切り替える必要がある。その為に、複数の種類の光ディスクを装着可能な光ディスク装置では、装着された光ディスクの種類の判別を正確に行わねばならない。
【０００３】
一般のディスクの判別方法は、光ディスクにレーザ光を照射し、反射光の和信号（ＰＥ）、反射光によって生成されるフォーカスエラー信号（ＦＥ）、トラッキングエラー信号（ＴＥ）等の検出レベルをしきい値と比較する。また、ＤＶＤ−Ｒ／ＲＷではランド領域にアドレス情報を示すピットを配置したＬＰＰ（Ｌａｎｄ  Ｐｒｅ−Ｐｉｔ）方式を、ＤＶＤ＋Ｒ／ＲＷではウォブル位相信号にアドレス情報を重畳したＡＤＩＰ（Ａｄｒｅｓｓ  Ｉｎ  Ｐｒｅ−ｇｒｏｏｖｅ）方式を採用しており、これらのプリフォーマット信号の有無を検出する。これらの結果を組み合わせてディスクの判別を行うことができる。
【０００４】
例えば特許文献１には、ＬＰＰ方式とＡＤＩＰ方式の両方の光ディスクに対応できる装置において、ＡＤＩＰビットの誤検出を防止する技術について記載されている。
【先行技術文献】
【特許文献】
【０００５】
【特許文献１】特開２００３−１２３２５７号公報
【発明の概要】
【発明が解決しようとする課題】
【０００６】
光ディスク装置に光ディスクが装着されてから、実際にデータの記録、再生を開始するまでには、セットアップ処理のため装置内で多くの手続きが行われる。１台の装置で使用可能な光ディスクの種類が増加するにつれ、ディスクの判別処理が複雑になり時間も要することになる。一方、ユーザからはセットアップ時間の短縮が要求されており、ディスク判別時間の短縮が必要となっている。
【０００７】
多種類の光ディスクの判別処理では、複数の判定ステップを組み合わせてディスクの種類を特定することになるが、各ステップの実行順序は判別時間の短縮の観点からは必ずしも適切とは言えなかった。すなわち、現実に使用される光ディスクの種類は地域によって偏りがある。例えば、日本では「マイナス系」と呼ばれるＤＶＤ−Ｒ／ＲＷ、欧米では「プラス系」と呼ばれるＤＶＤ＋Ｒ／ＲＷが主流となっている。よって、その傾向を捉えて判別ステップの順序を決めれば、無駄な工程がなく、より迅速に判別結果が得られることになる。従来の判別方法では、このような地域差に着目した判別方法は全く考慮されていなかった。
【０００８】
本発明の目的は、光ディスクの判別において、使用する光ディスクの地域による偏りを考慮して、判別時間の短縮を図ることである。
【課題を解決するための手段】
【０００９】
本発明の光ディスク装置は、光ディスクにレーザ光を照射しその反射光信号を検出する光ピックアップと、反射光信号からからＦＥ（フォーカスエラー）信号を生成するＦＥ信号生成部と、反射光信号からアドレス情報を示すＬＰＰ（Ｌａｎｄ  Ｐｒｅ−Ｐｉｔ）信号を生成するＬＰＰ信号生成部と、反射光信号からアドレス情報を示すＡＤＩＰ（Ａｄｒｅｓｓ  Ｉｎ  Ｐｒｅ−ｇｒｏｏｖｅ）信号を生成するＡＤＩＰ信号生成部と、生成された複数種類の信号について信号の有無やレベルを判定する信号判定部と、信号判定部の判定結果をもとに光ディスクの種類を判別するマイコンと、光ディスク装置の地域情報を格納しているＥＥＰＲＯＭとを備える。マイコンは、ＥＥＰＲＯＭに格納されている地域情報を参照し、該地域情報に応じて信号判定部に対し、複数種類の信号についてそれらを判定する順序を切り替えさせる。
【００１０】
前記地域情報がＤＶＤ−Ｒ／ＲＷ（マイナス系）が主に使用される地域である場合は、ＬＰＰ信号の判定をＡＤＩＰ信号よりも先行させ、前記地域情報がＤＶＤ＋Ｒ／ＲＷ（プラス系）が主に使用される地域である場合は、ＡＤＩＰ信号の判定をＬＰＰ信号よりも先行させる。
【００１１】
本発明は、装着された光ディスクにレーザ光を照射しその反射光から複数種類の信号を検出して光ディスクの種類を判別する光ディスクの判別方法であって、光ディスク装置に設定された地域情報に応じて、複数種類の信号についてそれらを検出する順序を切り替える。
【発明の効果】
【００１２】
本発明によれば、光ディスク判別時間およびそれを含むセットアップ時間が短縮し、ユーザの使い勝手が向上する。
【図面の簡単な説明】
【００１３】
【図１】本発明による光ディスク装置の一実施例を示すブロック図。
【図２】光ディスク装置の地域情報（リージョンコード）の例を示す図。
【図３】ディスク判別のフローチャートの一例を示す図。
【図４】ディスク判別のフローチャートの一例を示す図。
【発明を実施するための形態】
【００１４】
図１は、本発明による光ディスク装置の一実施例を示すブロック図である。本装置には、例えば、ＤＶＤ−ＲＯＭ，ＤＶＤ−ＲＡＭ，ＤＶＤ−Ｒ，ＤＶＤ−ＲＷ，ＤＶＤ＋Ｒ，ＤＶＤ＋ＲＷなどの各種の光ディスク１が装着可能であり、これらにレーザ光を照射してデータを記録再生する。
【００１５】
光ディスク１は、スピンドルモータ２により回転される。光ピックアップ３は、装着された光ディスクを判別するため、所定強度のレーザ光を照射し、光ディスクからの反射光を検出して電気信号に変換する。この検出信号をもとに、ＦＥ信号生成部４はフォーカス制御のためのＦＥ（フォーカスエラー）信号を、またアドレス制御のため、ＬＰＰ信号生成部５はＬＰＰ（Ｌａｎｄ  Ｐｒｅ−Ｐｉｔ）信号を、ＡＤＩＰ信号生成部６はＡＤＩＰ（Ａｄｒｅｓｓ  Ｉｎ  Ｐｒｅ−ｇｒｏｏｖｅ）信号をそれぞれ生成する。信号判定部７はこれらの各信号の有無、レベルを判定してマイコン８に出力する。
【００１６】
前記したように、ＬＰＰ信号はＤＶＤ−Ｒ／ＲＷにのみ、またＡＤＩＰ信号はＤＶＤ＋Ｒ／ＲＷにのみ存在する信号である。ＬＰＰ信号生成部５では、反射光から検出されたプリフォーマット信号のうち、ランド領域に一定の規則で形成されたＤＶＤ−Ｒ／ＲＷ特有のピット（ＬＰＰ）信号からアドレス情報を取得する。ＡＤＩＰ信号生成部６では、反射光から検出されたプリフォーマット信号について、ＤＶＤ＋Ｒ／ＲＷ特有のウォブル信号の位相反転を検出することでアドレス情報を取得する。
【００１７】
マイコン８は、信号判定部７から送られる各信号の判定結果をもとに装着された光ディスク１の種類を判別する。そして、判別結果に応じて記録動作や再生動作の制御を行う。なお、この図では記録、再生処理回路や制御機構部は省略している。ＥＥＰＲＯＭ９は、当該光ディスク装置の地域情報（リージョンコード）を格納している。この地域情報は、光ディスク装置の出荷時にその仕向地ごとに設定されたものである。あるいは、光ディスクを装着時にそのディスクに記述された地域情報（リージョンコード）を読み取り、読み取った地域情報をＥＥＰＲＯＭ９にコピーすることもできる。マイコン８は、ＥＥＰＲＯＭ９に格納される地域情報を参照し、地域情報に応じてディスク判別工程（判定順序）を制御する。すなわち、信号判定部７に対して判定する信号（ＦＥ，ＬＰＰ，ＡＤＩＰ）の順序を切り替える。
【００１８】
ここにＥＥＰＲＯＭ９に格納される地域情報は、ＤＶＤディスク再生において著作権保護を行うために設けられているもので、各光ディスク装置には、地域情報として固有の地域番号が設定されている。著作権保護を行う場合には、設定された地域番号に対応した地域情報を有するＤＶＤディスクのみが再生可能となる。本実施例では、この地域情報を利用してディスク判別を効率的に行うものである。
【００１９】
図２は、ＥＥＰＲＯＭ９に格納される光ディスク装置の地域情報（リージョンコード）の例を示す図である。ここには地域番号の定義例を示すもので、地域番号が１〜８まで設定され（このうち７，８は未使用）、全世界を６地域に分けてリージョンコードを付与している。この中で、例えば日本は地域番号２（リージョンコード「０２ｈ」）に属している。リージョンコード「０２ｈ」は、地域番号２のＤＶＤを再生したときにＥＥＰＲＯＭ９に設定される。
【００２０】
ここで、現実に使用される光ディスクの種類は地域によって偏りがある。例えば、日本では「マイナス系」と呼ばれるＤＶＤ−Ｒ／ＲＷ、欧米では「プラス系」と呼ばれるＤＶＤ＋Ｒ／ＲＷが主流となっている。よって、日本ではＤＶＤ＋Ｒ／ＲＷよりもＤＶＤ−Ｒ／ＲＷが使用される可能性が高く、ＤＶＤ−Ｒ／ＲＷを判定する工程を優先させるようにする。日本以外では、ＤＶＤ＋Ｒ／ＲＷが使用される可能性が高く、ＤＶＤ＋Ｒ／ＲＷを判定する工程を優先させるようにする。どれを優先させるかは、装置に設定されている地域番号（リージョンコード）を参照して決定する。
【００２１】
図３と図４は、ディスク判別のフローチャートの一例を分割して示す図である。ここではディスクの種類として、ＤＶＤ−Ｒ，ＤＶＤ＋Ｒ，ＤＶＤ−ＲＯＭ（以上、第１グループ），ＤＶＤ−ＲＷ，ＤＶＤ＋ＲＷ，ＤＶＤ−ＲＡＭ（以上、第２グループ）を判別する。判別工程の順序はマイコン８が制御する。
【００２２】
光ディスクが装着されると、光ピックアップ３はそのディスク面からの反射光を検出してディスク判別を開始する。Ｓ１００では、ＦＥ信号生成部４で生成したＦＥ信号について信号判定部７にて振幅を閾値と比較する。閾値より大きければ第１グループ（ＤＶＤ−Ｒ，ＤＶＤ＋Ｒ，ＤＶＤ−ＲＯＭ）、閾値より小さければ第２グループ（ＤＶＤ−ＲＷ，ＤＶＤ＋ＲＷ，ＤＶＤ−ＲＡＭ）に属すると判定する。第１グループについては図３に、第２グループについては図４に示す。
【００２３】
図３にてＦＥ振幅が大きい第１グループの場合は、Ｓ１０１にて、ＥＥＰＲＯＭ９からリージョンコードを読み出し、日本のコード値「０２ｈ」であるかどうかを判定する。コード値が「０２ｈ」であればＳ１０２へ進み、ＬＰＰ信号生成部５で生成したＬＰＰ信号について、信号判定部７で信号の有無を判定する。ＬＰＰ信号が存在すれば、Ｓ１０３にて当該ディスクはＤＶＤ−Ｒであると判別する（ＤＶＤ＋ＲやＤＶＤ−ＲＯＭではＬＰＰ信号を持たない）。ＬＰＰ信号が存在しなければＳ１０４へ進み、ＡＤＩＰ信号生成部６で生成したＡＤＩＰ信号について、信号判定部７で信号の有無を判定する。ＡＤＩＰ信号が存在すれば、Ｓ１０５にて当該ディスクはＤＶＤ＋Ｒであると判別する。ＡＤＩＰ信号が存在しなければ、Ｓ１０６にて当該ディスクはＤＶＤ−ＲＯＭであると判別する。
【００２４】
一方、上記Ｓ１０１にてコード値が「０２ｈ」以外であればＳ１０７へ進み、ＡＤＩＰ信号生成部６で生成したＡＤＩＰ信号について、信号判定部７で信号の有無を判定する。ＡＤＩＰ信号が存在すれば、Ｓ１０８にて当該ディスクはＤＶＤ＋Ｒであると判別する（ＤＶＤ−ＲやＤＶＤ−ＲＯＭではＡＤＩＰ信号を持たない）。ＡＤＩＰ信号が存在しなければＳ１０９へ進み、ＬＰＰ信号生成部５で生成したＬＰＰ信号について、信号判定部７で信号の有無を判定する。ＬＰＰ信号が存在すれば、Ｓ１１０にて当該ディスクはＤＶＤ−Ｒであると判別する。ＬＰＰ信号が存在しなければ、Ｓ１１１にて当該ディスクはＤＶＤ−ＲＯＭであると判別する。
【００２５】
次に、図４にてＦＥ振幅が小さい第２グループの場合は、Ｓ２０１にて、ＥＥＰＲＯＭ９からリージョンコードを読み出し、日本のコード値「０２ｈ」であるかどうかを判定する。コード値が「０２ｈ」であればＳ２０２へ進み、ＬＰＰ信号生成部５で生成したＬＰＰ信号について、信号判定部７で信号の有無を判定する。ＬＰＰ信号が存在すれば、Ｓ２０３にて当該ディスクはＤＶＤ−ＲＷであると判別する（ＤＶＤ＋ＲＷやＤＶＤ−ＲＡＭではＬＰＰ信号を持たない）。ＬＰＰ信号が存在しなければＳ２０４へ進み、ＡＤＩＰ信号生成部６で生成したＡＤＩＰ信号について、信号判定部７で信号の有無を判定する。ＡＤＩＰ信号が存在すれば、Ｓ２０５にて当該ディスクはＤＶＤ＋ＲＷであると判別する。ＡＤＩＰ信号が存在しなければ、Ｓ２０６にて当該ディスクはＤＶＤ−ＲＡＭであると判別する。
【００２６】
一方、上記Ｓ２０１にてコード値が「０２ｈ」以外であればＳ２０７へ進み、ＡＤＩＰ信号生成部６で生成したＡＤＩＰ信号について、信号判定部７で信号の有無を判定する。ＡＤＩＰ信号が存在すれば、Ｓ２０８にて当該ディスクはＤＶＤ＋ＲＷであると判別する（ＤＶＤ−ＲＷやＤＶＤ−ＲＡＭではＡＤＩＰ信号を持たない）。ＡＤＩＰ信号が存在しなければＳ２０９へ進み、ＬＰＰ信号生成部５で生成したＬＰＰ信号について、信号判定部７で信号の有無を判定する。ＬＰＰ信号が存在すれば、Ｓ２１０にて当該ディスクはＤＶＤ−ＲＷであると判別する。ＬＰＰ信号が存在しなければ、Ｓ２１１にて当該ディスクはＤＶＤ−ＲＡＭであると判別する。
【００２７】
このように本実施例では、Ｓ１０１またはＳ２０１にて装置のリージョンコードを判定して、その後の判定順序を切り替える。日本のコード値「０２ｈ」であればＬＰＰ信号の有無の判定を先行させ、日本のコード値「０２ｈ」以外であればＡＤＩＰ信号の有無の判定を先行させる。日本ではＤＶＤ−Ｒ／ＲＷが使用される可能性が高いので、ＬＰＰ信号の有無の判定（Ｓ１０２、Ｓ２０２）の段階で判別処理が終了することが多い。また、日本以外ではＤＶＤ＋Ｒ／ＲＷが使用される可能性が高いので、ＡＤＩＰ信号の有無の判定（Ｓ１０７、Ｓ２０７）の段階で判別処理が終了することが多い。よって、ＬＰＰ信号とＡＤＩＰ信号の２回の判定を行う必要がないので、判別時間を短縮させることができる。
【００２８】
上記実施例ではリージョンコードとして日本の属する「０２ｈ」であるか否かを条件とした。これは一例を述べたもので、各地域とそこで使用されるディスクの種類の関係に適応して、使用される可能性の高いディスクの種類の判定を先行するように判定順序を変更すれば良い。
【符号の説明】
【００２９】
１…光ディスク、
２…スピンドルモータ、
３…光ピックアップ、
４…ＦＥ信号生成部、
５…ＬＰＰ信号生成部、
６…ＡＤＩＰ信号生成部、
７…信号判定部、
８…マイコン、
９…ＥＥＰＲＯＭ。
【図１】
2010182357.tif 000003
【図２】
2010182357.tif 000004
【図３】
2010182357.tif 000005
【図４】
2010182357.tif 000006